(57)【要約】【課題】  従来は原稿載置面の大きさを越える原稿を一度に投映できなかった。【解決手段】  本発明の画像投映装置１は、原稿載置面３に載置された原稿３４の画像を撮像する撮像手段２４と、前記画像を複数記憶する記憶手段２９と、前記記憶手段に記憶された複数の画像を合成する画像合成手段３３と、前記画像合成手段によって合成された画像を投映する投映手段３２とを備える。原稿載置面の大きさを超えるサイズの原稿を投映する際に、その原稿を原稿載置面の大きさ相当に区分し、各区分ごとに複数回に分けて撮像操作が行われる。これにより、記憶手段に、撮像操作の回数に対応した複数の画像が記憶される。そして、この複数の画像が画像合成手段によって合成され、投映手段によって投映される。したがって、原稿載置面の大きさに制限されることなく、大きなサイズの原稿を一度に投映することができる。【選択図】  図２
2005107354.tif 000002
【特許請求の範囲】
【請求項１】
原稿載置面に載置された原稿の画像を撮像する撮像手段と、
前記画像を複数記憶する記憶手段と、
前記記憶手段に記憶された複数の画像を合成する画像合成手段と、
前記画像合成手段によって合成された画像を投映する投映手段と
を備えたことを特徴とする画像投映装置。
【請求項２】
原稿載置面に載置された原稿の画像を撮像する撮像手段と、
前記画像を記憶すると共にその記憶の際に前記原稿のどの部分の画像であるかを示す情報を一緒に記憶する記憶手段と、
前記記憶手段から画像及びその画像と一緒に記憶されていた前記情報を読み出し、該情報に基づいて画像同士を結合して前記原稿の全体画像を作り出す画像再生手段と、
前記画像再成手段によって作られた画像を投映する投映手段と
を備えたことを特徴とする画像投映装置。
【請求項３】
原稿載置面に載置された原稿の全体画像を複数に区分けした区分け画像を撮像する撮像工程と、
前記区分け画像の画像情報とそれぞれの区分け画像の位置情報とを関連づけして記憶する記憶工程と、
該記憶された位置情報に基づいて前記区分け画像の画像情報を結合して前記原稿の全体画像を再生する再生工程と、
該再生工程で再生された全体画像を投映する投映工程と
を含むことを特徴とする画像投映方法。
【請求項４】
原稿の画像を所定の撮影範囲内で撮像する撮像手段と、
前記画像を複数記憶する記憶手段と、
前記記憶手段に記憶された複数の画像を合成する画像合成手段と、
前記画像合成手段によって合成された画像を投映する投映手段と
を備えたことを特徴とする画像投映装置。
【請求項５】
原稿の画像を所定の撮影範囲内で撮像する撮像手段と、
前記画像を記憶すると共にその記憶の際に前記原稿のどの部分の画像であるかを示す情報を一緒に記憶する記憶手段と、
前記記憶手段から画像及びその画像と一緒に記憶されていた前記情報を読み出し、該情報に基づいて画像同士を結合して前記原稿の全体画像を作り出す画像再生手段と、
前記画像再成手段によって作られた画像を投映する投映手段と
を備えたことを特徴とする画像投映装置。
【請求項６】
原稿の全体画像を所定の撮影範囲ごとに複数に区分けした区分け画像を撮像する撮像工程と、
前記区分け画像の画像情報とそれぞれの区分け画像の位置情報とを関連づけして記憶する記憶工程と、
該記憶された位置情報に基づいて前記区分け画像の画像情報を結合して前記原稿の全体画像を再生する再生工程と、
該再生工程で再生された全体画像を投映する投映工程と
を含むことを特徴とする画像投映方法。
【請求項７】
前記記憶手段に画像を記憶する際に、該画像の平面上の向きを１８０度回転させ得ることを特徴とする請求項１、２、４、５いずれかに記載の画像投映装置。
【請求項８】
前記投映手段は、前記撮像手段で撮像中の画像と前記記憶手段に記憶済の画像とを一緒に投影することを特徴とする請求項１、２、４、５いずれかに記載の画像投映装置。
【発明の詳細な説明】
【技術分野】
【０００１】
本発明は、画像投映装置及び画像投映方法に関する。詳しくは、任意の原稿を撮像してその画像をメモリに記憶し、必要に応じてメモリから読み出してスクリーンに拡大投映する、たとえば、オーバーヘッドプロジェクタとも称される画像投映装置及び画像投映方法に関する。
【背景技術】
【０００２】
オーバーヘッドプロジェクタ（以下「ＯＨＰ」と略記する）は、ＯＨＰシートと呼ばれる透明フィルムを原稿に用いる透過型と、雑誌等の既存印刷物をそのまま投映できる反射型の二つのタイプがあり、原稿の種類を問わない点で後者の反射型が優れている。以下、特に説明しない限り、ＯＨＰという場合は反射型のものを指すことにする。
【０００３】
従来より、プレゼンテーション等の現場でセットした原稿の拡大画像を直接的にスクリーンに投映する仕組みのＯＨＰが一般的であった（たとえば、特許文献１参照）。しかし、このタイプのＯＨＰは、ＯＨＰから原稿を取り除いてしまうと、スクリーン上の投映画像も消えてしまうという不都合があるため、画像データを記憶できるようにした改良型のＯＨＰが知られている（たとえば、特許文献２参照）。
【０００４】
この改良型のＯＨＰは、内部に画像メモリを備えており、あらかじめ又はプレゼンテーション等の現場でセットした原稿の画像をメモリに保存できるようになっている。このため、メモリから読み出した画像をスクリーンに投映することができるので、プレゼンテーション等の際には原稿が不要であり、上記の不都合を解消できる。
【特許文献１】特開平７−１０４７１３号公報（〔０００６〕−〔０００８〕、第１図）
【特許文献２】特開２０００−２０６９７号公報（〔０００５〕−〔００１６〕、第１図）
【発明の開示】
【発明が解決しようとする課題】
【０００５】
しかしながら、上記の改良型のＯＨＰにあっては、単に、任意の原稿の画像をメモリに保存できるようにしたに過ぎず、たとえば、ＯＨＰの最大読み取りサイズを越える大きさの原稿を映し出す際に、以下の不都合があり、この点において未だ改善すべき技術課題がある。
【０００６】
今、ＯＨＰの最大読み取りサイズを便宜的にＡ４（２９７ｍｍ×２１０ｍｍ：ＪＩＳ  Ｐ０２０２）相当とした場合、当然ながら、そのサイズを超える大きさの原稿はＯＨＰにセットできない。このような場合は、（１）原稿を折り畳んで上記の最大サイズ以下にし、それぞれの折り畳み面を順次にＯＨＰにセットしながらプレゼンテーション等を行う、または、（２）原稿を縮小コピーした印刷物を作り、その印刷物をＯＨＰにセットしてプレゼンテーション等を行う、という二つの対策のどちらかがとられる。
【０００７】
しかしながら、（１）の対策は、原稿の全てを一度に投映できないため、原稿の全体像を把握できない。また、（２）の対策は、別途に縮小コピー機等の印刷装置を必要とし、且つ、その印刷に相応の手間がかかるため、たとえば、プレゼンテーション中にそのような原稿の投映に迫られた場合は、縮小コピーを行っている間、プレゼンテーションを中断しなければならない。
【０００８】
そこで、本発明は、ＯＨＰの最大読み取りサイズを越える大きさの原稿を映し出す際の不都合（（１）、（２））を解消し、利便性を改善して使い勝手の良い画像投映装置及び画像投映方法を提供することを目的とする。
【課題を解決するための手段】
【０００９】
請求項１に記載の画像投映装置は、原稿載置面に載置された原稿の画像を撮像する撮像手段と、前記画像を複数記憶する記憶手段と、前記記憶手段に記憶された複数の画像を合成する画像合成手段と、前記画像合成手段によって合成された画像を投映する投映手段とを備えたことを特徴とする。
この発明では、原稿載置面の大きさを超えるサイズの原稿を投映する際に、その原稿が原稿載置面の大きさ相当に区分され、各区分ごとに複数回に分けて撮像操作が行われる。これにより、記憶手段に、撮像操作の回数に対応した複数の画像が記憶される。そして、この複数の画像が画像合成手段によって合成され、投映手段によって投映される。
請求項２に記載の画像投映装置は、原稿載置面に載置された原稿の画像を撮像する撮像手段と、前記画像を記憶すると共にその記憶の際に前記原稿のどの部分の画像であるかを示す情報を一緒に記憶する記憶手段と、前記記憶手段から画像及びその画像と一緒に記憶されていた前記情報を読み出し、該情報に基づいて画像同士を結合して前記原稿の全体画像を作り出す画像再生手段と、前記画像再成手段によって作られた画像を投映する投映手段とを備えたことを特徴とする。
また、請求項３に記載の画像投映方法は、原稿載置面に載置された原稿の全体画像を複数に区分けした区分け画像を撮像する撮像工程と、前記区分け画像の画像情報とそれぞれの区分け画像の位置情報とを関連づけして記憶する記憶工程と、該記憶された位置情報に基づいて前記区分け画像の画像情報を結合して前記原稿の全体画像を再生する再生工程と、該再生工程で再生された全体画像を投映する投映工程とを含むことを特徴とする。
この発明でも、記憶手段に、撮像操作の回数に対応した複数の画像が記憶されるが、この記憶の際に、前記原稿のどの部分の画像であるかを示す情報（位置情報）が一緒に記憶される。このため、該情報に基づいて画像同士を結合する際の正確度か高められ、前記原稿の全体画像が正しく再生される。
請求項４に記載の画像投映装置は、原稿の画像を所定の撮影範囲内で撮像する撮像手段と、前記画像を複数記憶する記憶手段と、前記記憶手段に記憶された複数の画像を合成する画像合成手段と、前記画像合成手段によって合成された画像を投映する投映手段とを備えたことを特徴とする。
この発明では、原稿載置面を持たない画像投映装置、たとえば、書画カメラのような画像投映装置においても、所定の撮影範囲を超えるサイズの原稿を投映する際に、その原稿が所定の撮影範囲相当に区分され、各区分ごとに複数回に分けて撮像操作が行われる。これにより、記憶手段に、撮像操作の回数に対応した複数の画像が記憶される。そして、この複数の画像が画像合成手段によって合成され、投映手段によって投映される。
請求項５に記載の画像投映装置は、原稿の画像を所定の撮影範囲内で撮像する撮像手段と、前記画像を記憶すると共にその記憶の際に前記原稿のどの部分の画像であるかを示す情報を一緒に記憶する記憶手段と、前記記憶手段から画像及びその画像と一緒に記憶されていた前記情報を読み出し、該情報に基づいて画像同士を結合して前記原稿の全体画像を作り出す画像再生手段と、前記画像再成手段によって作られた画像を投映する投映手段とを備えたことを特徴とする。
請求項６に記載の画像投映方法は、原稿の全体画像を所定の撮影範囲ごとに複数に区分けした区分け画像を撮像する撮像工程と、前記区分け画像の画像情報とそれぞれの区分け画像の位置情報とを関連づけして記憶する記憶工程と、該記憶された位置情報に基づいて前記区分け画像の画像情報を結合して前記原稿の全体画像を再生する再生工程と、該再生工程で再生された全体画像を投映する投映工程とを含むことを特徴とする。
請求項７に記載の画像投映装置は、請求項１、２、４、５いずれかに記載の画像投映装置において、前記記憶手段に画像を記憶する際に、該画像の平面上の向きを１８０度回転させ得ることを特徴とする。
この発明では、前記記憶手段に画像を記憶する際に、該画像の平面上の向きを１８０度回転させ得ることとされるので、たとえば、見開き原稿の左右の頁を撮影するときの利便性が図られる。
請求項８に記載の画像投映装置は、請求項１、２、４、５いずれかに記載の画像投映装置において、前記投映手段は、前記撮像手段で撮像中の画像と前記記憶手段に記憶済の画像とを一緒に投影することを特徴とする。
この発明では、前記撮像手段で撮像中の画像と前記記憶手段に記憶済の画像との対応関係が一目で把握される。
【発明の効果】
【００１０】
本発明によれば、原稿載置面の大きさを超えるサイズの原稿であっても、その原稿を原稿載置面の大きさ相当に区分し、各区分ごとに複数の画像として記憶し、且つ、その複数の画像を合成して投映することができる。したがって、原稿載置面の大きさに制限されることなく、大きなサイズの原稿を一度に投映することができ、利便性を改善して使い勝手の良い画像投映装置を提供することができる。
また、原稿のどの部分の画像であるかを示す情報を一緒に記憶することにより、画像同士を結合する際の正確度を高め、前記原稿の全体画像を正しく再生することができる。
また、前記記憶手段に画像を記憶する際に、該画像の平面上の向きを１８０度回転させ得ることとされるので、たとえば、見開き原稿の左右の頁を撮影するときの利便性が図られる。
また、前記撮像手段で撮像中の画像の向きや位置を、前記記憶手段に記憶済の画像に合わせて微調整できる。
【発明を実施するための最良の形態】
【００１１】
以下、本発明の実施例を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１２】
まず、構成を説明する。
図１は、実施形態における画像投映装置の外観図である。この図において、画像投映装置（以下「ＯＨＰ」と称する）１の筐体２の上面には、所定の大きさの板状透明素材（強化ガラス等）で作られた原稿載置面３が設けられており、その原稿載置面３の一辺側には、原稿載置面３の全体を覆って外部光を遮ることができ、且つ、原稿載置面３に適宜に載置される物体（一般的には書籍や紙等の印刷物である。以下、これらを総称して「原稿」という）に対して、上から若干の質量をもって押圧することができる押さえ板４が取り付けられている。ここで、原稿載置面３の大きさ（縦横の平面寸法）は、規格化された定型用紙サイズ相当である。以下、そのサイズを便宜的にＡ４サイズとする。したがって、この原稿載置面３には、最大Ａ４サイズまでの原稿を載置することができる。なお、対象とする定型用紙のサイズはＡ判に限定されない。Ｂ判であってもよい。Ａ判、Ｂ判のいずれも、ＪＩＳ規格（ＪＩＳ  Ｐ０１３８）で、それぞれ０番から１０番までのサイズが決められており、とりわけＡ判は国際規格ともなっている。
【００１３】
また、筐体２の任意面（図では上面）には、操作部５が設けられており、この操作部５には、タッチパネル付の平面表示装置６や各種の操作ボタン（図示の例ではメモリボタン７、改行ボタン８及び終了ボタン９）が操作性や視認性などを考慮した適当なデザインで配置されている。
また、筐体２の一つの側面には、投映レンズ１０が設けられており、このＯＨＰ１を使用する際は、同図（ｂ）に示すように、スクリーン１１の方向に投映レンズ１０が向くように筐体２の置き場所が適宜に調節される。なお、筐体２の下面に取り付けられた足１２のすべて又はその一部は、投映レンズ１０の軸線の仰角を所定範囲内で変更できるように高さ調節式になっている。
【００１４】
図２は、ＯＨＰ１の簡略的な内部ブロック図である。この図において、ＯＨＰ１は、筐体２の内部に、原稿照明ランプ２０ａ、２０ｂ、撮像レンズ２１、色分離フィルタ２２、モータ２３、撮像素子２４、信号処理部２５、透過率補正アンプ２６、Ａ／Ｄ変換部２７、第一記憶部２８、第二記憶部２９、投映画像生成部３０、Ｄ／Ａ変換部３１、画像投映部３２、及び、制御部３３などを実装する。
【００１５】
原稿照明ランプ２０ａ、２０ｂは、原稿載置面３に載置された原稿３４を下から照明するためのものである。ここで、原稿３４とは、ＯＨＰ１を用いてスクリーン（図１（ｂ）の符号１１参照）に投映しようとする文字（文字列を含む）、図形、記号、写真、絵などの像又はそれらの混在像が描かれた（もしくは印刷された）モノのことをいう。このようなモノとしては、たとえば、紙等の印刷物（手書き物を含む）や書籍などがあるが、これらに限らず、金属等の固形物であってもよいし、あるいは、たとえば、ガラスやＯＨＰシートのような透明素材であってもよい。
【００１６】
撮像レンズ２１は、原稿３４からの反射光Ｐａを集光し、色分離フィルタ２２を介して撮像素子２４の受光面に原稿３４の像を結ばせる。色分離フィルタ２２は、モータ２３によって一定方向に回転駆動される円盤状のプレートである。そのプレートは周方向に３等分されており、各分割部に光の三原色（赤：Ｒ、緑：Ｇ、青：Ｂ）のフィルタが嵌め込まれている。それぞれのフィルタ（Ｒフィルタ、Ｇフィルタ、Ｂフィルタ）は、プレートの回転に伴って順次に撮像レンズ２１の光軸上に位置する。このため、Ｒフィルタが光軸上に位置しているときは、撮像素子２４の受光面に原稿３４の赤色成分像が結像し、Ｇフィルタが光軸上に位置しているときは、撮像素子２４の受光面に原稿３４の緑色成分像が結像し、Ｂフィルタが光軸上に位置しているときは、撮像素子２４の受光面に原稿３４の青色成分像が結像する。これにより、一つの撮像素子２４で光の三原色の像を順次に取り出すことができる。
【００１７】
なお、かかる例（色分離フィルタ２２を用いる例）は、撮像素子の設置個数を少なくするための一構成例に過ぎず、本発明は、それ以外の構成（たとえば、光の三原色ごとの撮像素子を備えるもの）を排除しない。
【００１８】
撮像素子２４は、被写体の二次元画像を撮像するものであり、典型的には毎秒数十フレームの画像を撮像するＣＣＤ（Charge Coupled Diode）やＣＭＯＳ（Complementary Metal Oxide Semiconductor）などの固体撮像デバイスである。また、本実施形態では、色分離フィルタ２２を用いて光の三原色の成分分離を行っているため、撮像素子２４の数は１個でよいが、上記の他の構成を採用する場合は、各色成分ごとの３個の撮像素子を備えることになる（たとえば、３ＣＣＤ方式）。なお、この場合、色分離フィルタ２２とモータ２３は不要になる。
【００１９】
信号処理部２５は、撮像素子２４からの信号を処理（増幅や暗電流補正及び帯域調整等の処理）して毎秒数十フレームの画像信号として出力するためのものである。また、透過率補正アンプ２６は、各色成分ごとの信号振幅差（本実施形態の構成では主に色分離フィルタ２２のＲ、Ｇ、Ｂ各フィルタの透過率の違いによって生じる）を補正するためのものである。
Ａ／Ｄ変換部２７は、透過率補正アンプ２６の出力（アナログ画像信号）をデジタル画像信号に変換するためのものである。この変換は、次の第一記憶部２８や第二記憶部２９にデジタルの記憶デバイスを用いる場合に必要である。
【００２０】
第一記憶部２８は、Ａ／Ｄ変換部２７から出力されたデジタル画像信号を記憶するためのものであり、たとえば、ＤＲＡＭ（Dynamic Random Access Memory）等のデジタル半導体記憶デバイスが用いられる。第一記憶部２８の記憶容量は、少なくとも、デジタル画像信号の１フレーム分（最大Ａ４サイズの画像を記憶できる程度の容量）であり、この第一記憶部２８の記憶内容は、デジタル画像信号の各フレームごとに書き換えられる。つまり、第一記憶部２８は、撮像素子２４の最新の撮像情報をフレーム単位で順次に更新記憶する。
【００２１】
一方、第二記憶部２９は、Ａ／Ｄ変換部２７から出力されたデジタル画像信号を記憶する点で第一記憶部２８と同様の働きをするが、デジタル画像信号をそのまま記憶するのではなく、ユーザの操作指示に対応して加工されたデジタル画像信号を記憶する点で第一記憶部２８と相違する。また、この第二記憶部２９の記憶容量は第一記憶部２８に比べて遙かに大きい点でも相違する。
【００２２】
すなわち、第一記憶部２８の記憶容量は最大Ａ４サイズの画像を記憶できる程度の容量であるが、この第二記憶部２９の記憶容量はＡ４サイズ以上の大きさの画像（以下「最大映写サイズ」という）を記憶できる程度の容量である。ここで、Ａ０サイズはＡ４サイズの約１６倍、Ａ１サイズはＡ４サイズの約８倍、Ａ２サイズはＡ４サイズの約４倍、Ａ３サイズはＡ４サイズの約２倍の大きさであるから、たとえば、最大映写サイズをＡ０とした場合、第二記憶部２９の記憶容量は第一記憶部２８の約１６倍の大きさになる。また、同様に、最大映写サイズをＡ１とした場合、第二記憶部２９の記憶容量は第一記憶部２８の約８倍の大きさになり、また、最大映写サイズをＡ２とした場合、第二記憶部２９の記憶容量は第一記憶部２８の約４倍の大きさになり、また、最大映写サイズをＡ３とした場合、第二記憶部２９の記憶容量は第一記憶部２８の約２倍の大きさになる。
【００２３】
本発明の課題は、先にも述べたとおり、「ＯＨＰの最大読み取りサイズを越える大きさの原稿を映し出す際の不都合を解消」する点にある。ＯＨＰの最大読み取りサイズは原稿載置面３の寸法で決まり、本実施形態の原稿載置面３の寸法はＡ４サイズ相当である。そして、最大映写サイズは可能な限り大きいことが望ましいから、最大映写サイズを定型用紙の最大サイズ、たとえば、Ａ０とすると、第二記憶部２９の所要記憶容量は、第一記憶部２８の少なくとも１６倍になる。こうした大容量の記憶部（第二記憶部２９）を構成する場合、第一記憶部２８と同様の記憶デバイス（ＤＲＡＭ等のデジタル半導体記憶デバイス）を用いてもよいが、ビット単価（デジタル信号１ビットあたりのコスト）の点で、たとえば、ハードディスクなどの大容量記憶装置も好ましい選択肢になる。
【００２４】
既述のとおり、第一記憶部２８はＡ／Ｄ変換部２７から出力されたデジタル画像信号をフレーム単位に記憶する。このため、第一記憶部２８には１枚のフレーム画像に相当する単純な構造のデータファイルが記憶されるが、第二記憶部２８には、ユーザの操作指示に対応して加工された多数の単位画像からなる所定構造のデータファイルが記憶される。
【００２５】
図３は、第二記憶部２９に記憶されるデータファイルの模式的構造図である。このデータファイル３５は、多数のレコードからなり、各レコードは、ヘッダ部３５ａ、データ部３５ｂ及び制御コード部３５ｃを有している。ヘッダ部３５ａには単位画像の配置座標を表す情報が格納され、データ部３５ｂには単位画像の情報が格納される。また、制御コード部３５ｃには必要に応じて所定の制御コード（改行コードや終了コード）が格納される。これらの情報の意味については後述する。
【００２６】
再び、図２において、投映画像生成部３０は、最終的に、図１（ｂ）のスクリーン１１に投映される画像（投映画像）を生成するためのものである。この投映画像は、第一記憶部２８の記憶情報と第二記憶部２９の記憶情報のいずれか一方又はそれらの混在情報から生成される。第一記憶部２８の記憶情報から生成された場合、投映画像は撮像素子２４によって現在撮像中の画像そのものとなり、また、第二記憶部２９の記憶情報から生成された場合、投映画像は過去に撮像素子２４によって過去に撮像された画像の加工画像となる。あるいは、第一記憶部２８の記憶情報と第二の記憶部２９の記憶情報との混在画像の場合、投映画像は撮像素子２４によって現在撮像中の画像と、過去に撮像素子２４によって撮像された画像の加工画像とを混在した画像となる。
【００２７】
Ｄ／Ａ変換部３１は、投映画像をアナログ変換するためのものであり、画像投映部３２はアナログ変換された投映画像のＲ、Ｇ、Ｂ混合照射光Ｐｂを生成し、その照射光Ｐｂを投映レンズ１０を介してスクリーン１１に投射するものである。
【００２８】
ここで、画像投映部３２は、特に限定しないが、次の構成を有している。すなわち、Ｄ／Ａ変換部３１から出力された投映画像信号をＲ、Ｇ、Ｂの各色成分ごとの液晶駆動信号に変換してＲ、Ｇ、Ｂの各液晶パネル３２ａ、３２ｂ、３２ｃに出力する駆動部３２ｄと、光の三原色を含む照明光（白色光）Ｐｃを照射するランプ３２ｅと、一つのコールドミラー３２ｆと、三つの全反射ミラー３２ｇ、３２ｈ、３２ｉと、四つのダイクロイックミラー３２ｊ、３２ｋ、３２ｍ、３２ｎとを有する。
【００２９】
ランプ３２ｅから出た光Ｐｃは、まず、コールドミラー３２ｆによって反射され、その光軸が９０度曲げられる。コールドミラー３２ｆは光Ｐｃの不要成分（Ｒ、Ｇ、Ｂ以外の成分；特に人間の目に有害な赤外線成分）を取り除くためのものである。不要成分はコールドミラー３２ｆを素通りする。
【００３０】
不要成分が取り除かれた光Ｐｃは、ダイクロイックミラー３２ｊによって緑色成分光（Ｇ成分光）とそれ以外の成分光（Ｒ及びＢ成分光）とに分離される。Ｇ成分光は全反射ミラー３２ｇによってその光軸が９０度曲げられ、Ｇ成分画像用の液晶パネル３２ａに照射される。一方、Ｒ及びＢ成分光は、ダイクロイックミラー３２ｋによって青色成分光（Ｂ成分光）とそれ以外の成分光（Ｒ成分光）とに分離され、Ｂ成分光はＢ成分画像用の液晶パネル３２ｂに照射され、また、Ｒ成分光はＲ成分画像用の液晶パネル３２ｃに照射される。液晶パネル３２ａと液晶パネル３２ｂによってそれぞれ光変調されたＧ成分光及びＢ成分光はダイクロイックミラー３２ｍで合成され、この合成光は、ダイクロイックミラー３２ｍに照射される。
【００３１】
このダイクロイックミラー３２ｍには、液晶パネル３２ｃによって光変調され、さらに、全反射ミラー３２ｈで全反射されたＲ成分光も照射されており、ダイクロイックミラー３２ｍはこれらの光の合成光を生成し、全反射ミラー３２ｉ及び投映レンズ１０を介して外部に照射する。
【００３２】
制御部３３は、ＯＨＰ１の全体動作を統括制御するものであり、たとえば、特に限定しないが、マイクロコンピュータによって構成されている。制御部３３は、操作部５からの操作入力に従って様々な動作制御を行うが、その制御の主要なものは、第１に第二記憶部２９への加工画像の記憶制御、第２に投映画像生成部３０における投映画像の生成制御である。
【００３３】
次に、作用を説明する。
（第１実施形態）
まず、はじめに、本実施形態のＯＨＰ１は、従来と同様に、原稿載置面３の寸法以下の大きさの原稿３４、すなわち、Ａ４までの大きさの原稿３４を投映することができる。このことについては、従来と同様であるため、敢えて説明を加えない。本実施形態のＯＨＰ１の特徴とするところは、原稿載置面３の寸法（Ａ４）を越える大きさの原稿３４、たとえば、最大投映サイズをＡ３やＡ２又はＡ１やＡ０などとする原稿３４を投映できることにある。以下、この特徴点について詳細に説明する。なお、以下の説明においては、簡単化のために原稿３４のサイズを便宜的にＡ２とする。Ａ２サイズの原稿３４を四つ折りにしたとき、各々がＡ４サイズの四つの面を形成する。
【００３４】
図４は、Ａ２サイズの原稿３４の平面図である。（ａ）は折り畳む前のもの、（ｂ）は四つ折りしたときのものである。折り畳むことにより、各々がＡ４サイズの四つの面３４ａ〜３４ｄを形成する。ここで、各面３４ａ〜３４ｄの位置を、横方向の「列」と縦方向の「行」の組み合わせ座標で表すことにすると、面３４ａは「１（列），１（行）」、面３４ｂは「２（列），１（行）」、面３４ｃは「１（列），２（行）」、面３４ｄは「２（列），２（行）」になる。
【００３５】
図５は、制御部３３で定期的に実行される制御プログラムの概念的なフローチャートを示す図である。このフローチャートでは、まず、変数ｉと変数ｊに初期値“１”をセットし（ステップＳ１１）、次いで、操作部５のメモリボタン７が押されるまで待機する（ステップＳ１２）。このメモリボタン７は、原稿３４の読み取り対象面（図４の面３４ａ〜３４ｄ）のいずれかが原稿載置面３に正しく載置された後に、ユーザによって押圧操作される。原稿３４の読み取り順番は、面３４ａ→面３４ｂ→面〜３４ｃ→面３４ｄである。
【００３６】
＜第一面（面３４ａ）の読み取り＞
ユーザは、この順番に従って、まず、原稿載置面３に「１（列），１（行）」の面３４ａを載置し、スタートボタン７を押す。スタートボタン７の押圧を検知して、ステップＳ１２の判定結果が“ＹＥＳ”になると、次に、ｉ列ｊ行の画像を生成し（ステップＳ１３）、データファイル３５の第１レコードのデータ部３５ｂにｉ列ｊ行の画像を保存すると共に、そのレコードのヘッダ部３５ａに変数ｉ、ｊの値から生成された画像座標情報を保存する（ステップＳ１４）。ここで、変数ｉは列番号、変数ｊは行番号であり、画像座標情報の書式は「列，行」、つまり（ｉ，ｊ）である。
【００３７】
今、変数ｉ及び変数ｊはどちらも“１”であるから、ステップＳ１３で生成される画像は、「１（列），１（行）」画像（つまり、面３４ａの画像）となり、この「１（列），１（行）」の画像と、その画像の座標情報（１，１）をデータファイル３５に保存した後、操作部５の改行ボタン８が押されたか否かを判定する（ステップＳ１５）。
【００３８】
この改行ボタン８は、原稿３４の各読み取り面３４ａ〜３４ｄのうち最右列に位置し且つ最下行でない面（図４の例では面３４ｂ）を撮像した後に、ユーザによって押圧される。現在の読み取り面は面３４ａであり、この条件に当てはまらないため、この段階では改行ボタン８は押されない。したがって、ステップＳ１５の判定結果が“ＮＯ”となり、次に、操作部５の終了ボタン９が押されたか否かを判定する（ステップＳ１６）。
【００３９】
この終了ボタン９は、原稿３４の各読み取り面３４ａ〜３４ｄのうち最右列に位置し且つ最下行にも位置する面（図４の例では面３４ｄ）を撮像した後に、ユーザによって押圧される。現在の読み取り面は面３４ａであり、この条件に当てはまらないため、この段階では終了ボタン９は押されない。したがって、ステップＳ１６の判定結果も“ＮＯ”となり、次に、変数ｉを＋１して（ステップＳ１７）、再びステップＳ１２に戻る。
【００４０】
＜第二面（面３４ｂ）の読み取り＞
ユーザは、原稿３４の次の面３４ｂを原稿載置面３に載置してスタートボタン７を押す。このスタートボタン７の押圧を検知して、ステップＳ１２の判定結果が“ＹＥＳ”になると、次に、ｉ列ｊ行の画像を生成し（ステップＳ１３）、データファイル３５の第２レコードのデータ部３５ｂにｉ列ｊ行の画像を保存すると共に、そのレコードのヘッダ部３５ａに変数ｉ、ｊの値から生成された画像座標情報を保存する（ステップＳ１４）。
【００４１】
今、ｉ＝２、ｊ＝１であるから、ステップＳ１３で生成される画像は、「２（列），１（行）」の画像（つまり、面３４ｂの画像）となり、この「２（列），１（行）」の画像と、その画像の座標情報（２，１）をデータファイル３５に保存した後、操作部５の改行ボタン８が押されたか否かを判定する（ステップＳ１５）。
【００４２】
既述のとおり、改行ボタン８は、原稿３４の各読み取り面３４ａ〜３４ｄのうち最右列に位置し且つ最下行でない面（図４の例では面３４ｂ）を撮像した後に、ユーザによって押圧されるものである。現在の読み取り面は面３４ｂであるから、この条件に当てはまる。したがって、ステップＳ１５の判定結果が“ＹＥＳ”となって、改行コードを発生し（ステップＳ１８）、その改行コードをデータファイル３５のカレントレコードの制御コード部３５ｃに保存（ステップＳ１９）した後、変数ｉに初期値“１”をセット（ステップＳ２０）すると共に、変数ｊを＋１して（ステップＳ２１）、再びステップＳ１２に戻る。
【００４３】
＜第三面（面３４ｃ）の読み取り＞
ユーザは、原稿３４のさらに次の面３４ｃを原稿載置面３に載置してスタートボタン７を押す。このスタートボタン７の押圧を検知して、ステップＳ１２の判定結果が“ＹＥＳ”になると、次に、ｉ列ｊ行の画像を生成し（ステップＳ１３）、データファイル３５の第３レコードのデータ部３５ｂにｉ列ｊ行の画像を保存すると共に、そのレコードのヘッダ部３５ａに変数ｉ、ｊの値から生成された画像座標情報を保存する（ステップＳ１４）。
【００４４】
今、ｉ＝１、ｊ＝２であるから、ステップＳ１３で生成される画像は、「１（列），２（行）」の画像（つまり、面３４ｃの画像）となり、この「１（列），２（行）」の画像と、その画像の座標情報（１，２）をデータファイル３５に保存した後、操作部５の改行ボタン８が押されたか否かを判定する（ステップＳ１５）。
【００４５】
既述のとおり、改行ボタン８は、原稿３４の各読み取り面３４ａ〜３４ｄのうち最右列に位置し且つ最下行でない面（図４の例では面３４ｂ）を撮像した後に、ユーザによって押圧される。現在の読み取り面は面３４ｃであり、この条件に当てはまらないため、この段階では改行ボタン８は押されない。したがって、ステップＳ１５の判定結果が“ＮＯ”となり、操作部５の終了ボタン９が押されたか否かを判定する（ステップＳ１６）。
【００４６】
既述のとおり、この終了ボタン９は、原稿３４の各読み取り面３４ａ〜３４ｄのうち最右列に位置し且つ最下行にも位置する面（図４の例では面３４ｄ）を撮像した後に、ユーザによって押される。現在の読み取り面は面３４ｃであり、この条件に当てはまらないため、この段階では終了ボタン９は押されない。したがって、ステップＳ１６の判定結果も“ＮＯ”となり、変数ｉを＋１して（ステップＳ１７）、再びステップＳ１２に戻る。
【００４７】
＜第四面（面３４ｄ）の読み取り＞
ユーザは、原稿３４の最後の面３４ｄを原稿載置面３に載置してスタートボタン７を押す。このスタートボタン７の押圧を検知して、ステップＳ１２の判定結果が“ＹＥＳ”になると、次に、ｉ列ｊ行の画像を生成し（ステップＳ１３）、データファイル３５の第４レコードのデータ部３５ｂにｉ列ｊ行の画像を保存すると共に、そのレコードのヘッダ部３５ａに変数ｉ、ｊの値から生成された画像座標情報を保存する（ステップＳ１４）。
【００４８】
今、ｉ＝２、ｊ＝２であるから、ステップＳ１３で生成される画像は、「２（列），２（行）」の画像（つまり、面３４ｄの画像）となり、この「２（列），２（行）」の画像と、その画像の座標情報（２，２）をデータファイル３５に保存した後、操作部５の改行ボタン８が押されたか否かを判定する（ステップＳ１５）。
【００４９】
既述のとおり、改行ボタン８は、原稿３４の各読み取り面３４ａ〜３４ｄのうち最右列に位置し且つ最下行でない面（図４の例では面３４ｂ）を撮像した後に、ユーザによって押圧される。現在の読み取り面は面３４ｄであり、この条件に当てはまらないため、この段階では改行ボタン８は押されない。したがって、ステップＳ１５の判定結果が“ＮＯ”となり、操作部５の終了ボタン９が押されたか否かを判定する（ステップＳ１６）。
【００５０】
既述のとおり、この終了ボタン９は、原稿３４の各読み取り面３４ａ〜３４ｄのうち最右列に位置し且つ最下行にも位置する面（図４の例では面３４ｄ）を撮像した後に、ユーザによって押圧される。現在の読み取り面は面３４ｄであり、この条件に当てはまるため、この段階で終了ボタン９が押される。したがって、ステップＳ１６の判定結果が“ＹＥＳ”となり、終了コードを発生すると共に（ステップＳ２２）、その終了コードをデータファイル３５のカレントレコードの制御コード部３５ｃに保存（ステップＳ２３）する。
【００５１】
＜全体画像（ジョイント画像）の投映＞
そして、最後に、データファイル３５の各レコードから画像データ（面３４ａ〜３４ｄの各画像データ）を読み出し、それらの座標情報に基づいて各画像データをつなぎ合わせて（ジョイントして）原稿３４の全体画像（ジョイント画像）を再構成し、このジョイント画像をスクリーン１１に投映（ステップＳ２４）してフローチャートを終了する。なお、この例では、原稿３４の画像を読み取った後に、続けてジョイント画像の投映を行っているが、これに限定されない。画像の読み取りとジョイント画像の投映とを別々の時点で行ってもよい。
【００５２】
以上のとおりであるから、本実施形態によれば、原稿載置面３の寸法（Ａ４）を超えるサイズ（たとえば、Ａ２）の原稿３４を投映する場合は、まず、その原稿３４を折り畳むなどして、原稿載置面３の寸法相当の読み取り面３４ａ〜３４ｄ（第一面〜第四面）を作り、各面を順番に原稿載置面３に載置しながら操作部５のメモリボタン７を押し、また、最右列の面で且つ最下行でない面（面３４ｂ）を載置してメモリボタン７を押した後は、続けて改行ボタン８を押し、さらに、最右列の面で且つ最下行の面（面３４ｄ）を載置してメモリボタン７を押した後は、続けて終了ボタン９を押すという一連の操作を行うだけで、原稿３４の全ての面３４ａ〜３４ｄの画像をデータファイル３５に保存することができ、しかも、そのデータファイル３５の保存データから再構築されたジョイント画像（原稿３４の全体画像）をスクリーン１１に投映することができる。
【００５３】
したがって、原稿３４の全てを余すことなく一度に投映できるため、従来の不都合（１）を解消することができる。また、別途に原稿３４の縮小コピーを作る必要もないため、従来の不都合（２）も解消することができる。それらの結果、利便性を改善して使い勝手の良いオーバーヘッドプロジェクタを提供することができる。
さらに、本実施の形態によればＯＨＰ１の大幅な小型化を図ることができる。つまり、本実施形態では、「原稿載置面３の寸法を超えるサイズの原稿３４の“全体画像”を投映できる」ので、原稿の最大投映サイズが原稿載置面３の寸法に全く制限されない。このため、たとえば、原稿載置面３の寸法をハガキ程度のＡ６判（１４８ｍｍ×１０５ｍｍ）とした場合でも、それ以上のサイズの原稿の“全体画像”を支障なく投映することができ、ＯＨＰ１の筐体２の大きさをハガキ程度の原稿載置面３の寸法に対応させて大幅に小型化でき、とりわけ、携帯性に優れたもの（モバイル型ＯＨＰ）にすることもできる。
【００５４】
（第２実施形態）
なお、本発明は、以上の実施の形態に限定されることなく、その技術思想の範囲内において様々な変形例や発展例を包含することは当然である。
たとえば、上記の実施の形態では、「改行コード」と「終了コード」の発生をユーザ操作に基づいて行っているが、すなわち、ユーザは、原稿３４の最右列の面で且つ最下行でない面（面３４ｂ）を読み込んだ後に、改行ボタン８を押し、また、原稿３４の最右列の面で且つ最下行の面（面３４ｄ）を読み込んだ後に、終了ボタン９を押すようにしているが、たとえば、改行ボタン８や終了ボタン９の押し忘れ、あるいは、不適切なボタン操作（改行ボタン８を押すべきところ、終了ボタン９を押してしまうなど）を否めず、この点において改善の余地がある。
【００５５】
以下に説明する改良例は、以上のことに鑑みて、改行コードの発生と終了コードの発生を自動化したものである。
図６〜図８は、操作部５のタッチパネル付平面表示装置６の表示例を示す図である。これらの図において、モード選択画面３８は、このＯＨＰ１を従来どおりの使い方で原稿３４の投映に用いるか、または、本実施形態特有の使い方で原稿３４の投映に用いるかを指定するためのものである。ユーザは、従来どおりの使い方を希望する場合に通常投映モードボタン３８ａにタッチし、本実施形態特有の使い方を希望する場合にジョイント投映モードボタン３８ｂにタッチする。
【００５６】
ここで、“従来どおりの使い方”とは、原稿載置面３の寸法を超えないサイズの原稿３４を投映する場合である。具体的には、本実施形態の原稿載置面３の寸法は前記の例示に従えばＡ４相当であるから、最大Ａ４までの大きさの原稿３４を投映する使い方である。一方、“本実施形態特有の使い方”とは、原稿載置面３の寸法を超えるサイズの原稿３４を投映する場合である。具体的には、Ａ４を越える大きさの原稿３４を投映する使い方である。いずれのモードを指定しているかは、ボタンの反転表示によって明示される。図６（ａ）に示されているモード選択画面３８は通常投映モードボタン３８ａが反転しており、この場合、ＯＨＰ１は通常投映モードで動作している。また、図６（ｂ）に示されているモード選択画面３８はジョイント投映モードボタン３８ｂが反転しており、この場合、ＯＨＰ１はジョイント投映モードで動作している。
【００５７】
ジョイント投映モードを選択したとき、図７（ａ）に示すジョイント投映詳細設定画面３９が表示される。このジョイント投映詳細設定画面３９は、ジョイント投映モードの詳細指定を行うためのものであり、画面上には、固定分割ボタン３９ａ、可変分割ボタン３９ｂ及び戻るボタン３９ｃなどが表示されている。固定分割ボタン３９ａにタッチすると、図７（ｂ）に示す固定分割詳細設定画面４０を表示し、また、可変分割ボタン３９ｂにタッチすると、図８に示す可変分割詳細設定画面４１を表示する。あるいは、戻るボタン３９ｃにタッチすると、図６のモード選択画面３８に戻る。
【００５８】
図７（ｂ）に示す固定分割詳細設定画面４０は、固定分割の詳細指定を行うためのものであり、画面上には、２×１分割ボタン４０ａ、２×２分割ボタン４０ｂ及び戻るボタン４０ｃなどが表示されている。“２×１分割”とは、原稿載置面３の２×１倍のサイズ（Ａ３）の原稿３４を投映する場合、Ａ３はＡ４を横に二枚並べた大きさであるので、横方向に２分割（すなわち２×１分割）すれば、各分割部分が原稿載置面３のサイズ（Ａ４）相当になることを意味する。２×１分割ボタン４０ａにはその意味をイメージする絵４０ｄが描かれている。
【００５９】
また、“２×２分割”とは、原稿載置面３の２×２倍のサイズ（Ａ２）の原稿３４を投映する場合、Ａ２はＡ４を縦横に二枚ずつ並べた大きさであるので、横方向に２分割すると共に縦方向にも２分割（すなわち２×２分割）すれば、各分割部分が原稿載置面３のサイズ（Ａ４）相当になることを意味する。２×２分割ボタン４０ｂにはその意味をイメージする絵４０ｅが描かれている。
【００６０】
なお、固定分割を２種類（２×１分割と２×２分割）としたことに特段の意味はない。強いていえば、Ａ４を越える大きさの原稿３４でよく用いられるのはＡ３やＡ２が多いからである。
【００６１】
ユーザは、投映しようとする原稿３４のサイズがＡ３であれば、２×１分割ボタン４０ａにタッチし、Ａ２であれば２×２分割ボタン４０ｂにタッチする。また、Ａ４を越え且つＡ３やＡ２以外の大きさの原稿３４であれば、戻るボタン４０ｃにタッチして、再びジョイント投映詳細設定画面３９を表示し、当該画面の可変分割ボタン３９ｂにタッチする。
【００６２】
図８に示す可変分割詳細設定画面４１は、可変分割の詳細指定を行うためのものであり、画面上には、横方向にｎ列、縦方向にｍ行に区切られたｎ×ｍ升のイメージオブジェクト４１ａと、ｎの値を任意に指定するためのリストボックス４１ｂと、ｍの値を任意に指定するためのリストボックス４１ｃと、ｎ及びｍの指定値を確定するためのＯＫボタン４１ｄと、可変分割を中止して、図７（ａ）のジョイント投映詳細設定画面３９に戻るための戻るボタン４１ｅとが表示されている。
【００６３】
図９は、制御部３３で定期的に実行される制御プログラムの概念的なフローチャートを示す図である。このフローチャートでは、まず、現在の動作モードを判定する（ステップＳ３１）。すなわち、モード選択画面３８の二つのボタン（通常投映モードボタン３８ａとジョイント投映モードボタン３８ｂ）のいずれがタッチされたかを判定する。通常投映モードボタン３８ａがタッチされていた場合には従来どおりの通常投映処理を実行し（ステップＳ３２）、一方、ジョイント投映モードボタン３８ｂがタッチされていた場合には、以下の特徴的な処理を実行する。
【００６４】
すなわち、最初に固定分割であるか否かを判定する（ステップＳ３３）。固定分割の場合には、次に、分割数を判定し（ステップＳ３４）、「２×１分割」であれば変数ｎに“２”をセットすると共に変数ｍに“１”をセットし（ステップＳ３５）、「２×２分割」であれば変数ｎに“２”をセットすると共に変数ｍに“２”をセットする（ステップＳ３６）。
【００６５】
一方、ステップＳ３３の判定結果が“ＮＯ”であった場合、つまり、固定分割でない場合は、可変分割のｎ及びｍの入力操作を待ち（ステップＳ３７）、ｎ及びｍの値が入力されると（ステップＳ３８の“ＹＥＳ”判定）、それらの入力値を変数ｎ及び変数ｍにセットする（ステップＳ３９）。
【００６６】
このようにして、変数ｎ及び変数ｍに値をセットすると、次に、ジョイント処理（ステップＳ４０）を実行した後、その処理によって生成された原稿３４の全体画像（ジョイント画像）を、データファイル３５から読み出して画像投映部３２に出力し、スクリーン１１に投映する（ステップＳ４１）。なお、この例でも、原稿３４の画像を読み取った後に、続けてジョイント画像の投映を行っているが、これに限定されない。画像の読み取りとジョイント画像の投映とを別々の時点で行ってもよい。
【００６７】
図１０は、ジョイント処理のフローチャートを示す図である。このフローチャートでは、まず、変数ｉ、ｊに初期値“１”をセットすると共に、変数ｉｍａｘに変数ｎの値を代入し、且つ、変数ｊｍａｘに変数ｍの値を代入する（ステップＳ４０ａ）。
【００６８】
次に、操作部５のメモリボタン７が押圧操作されたか否かを判定し（ステップＳ４０ｂ）、メモリボタン７が押圧操作されていれば、ｉ列ｊ行の画像を生成し（ステップＳ４０ｃ）、データファイル３５の第１レコードのデータ部３５ｂにｉ列ｊ行の画像を保存すると共に、そのレコードのヘッダ部３５ａに変数ｉ、ｊの値から生成された画像座標情報を保存する（ステップＳ４０ｄ）。ここで、変数ｉは列番号、変数ｊは行番号であり、画像座標情報の書式は「列，行」、つまり（ｉ，ｊ）である。
【００６９】
図１１は、ｉ列ｊ行の画像を示す概念図である。この図において、ｎ×ｍ個の升目はそれぞれｉ列ｊ行の画像であり、たとえば、ハッチングで示されている升目は、ｉ＝１、ｊ＝１の画像（座標情報（１，１））である。このｉ列ｊ行の画像（一つの升目）の大きさは、原稿載置面３のサイズ（Ａ４）相当である。
【００７０】
再び、図１０において、今、変数ｉ及び変数ｊはどちらも“１”であるから、ステップＳ４０ｃで生成される画像は、「１（列），１（行）」の画像となり、この「１（列），１（行）」の画像と、その画像の座標情報（１，１）をデータファイル３５に保存した後、変数ｉを＋１して（ステップＳ４０ｅ）、式「ｉ＞ｉｍａｘ」を評価する（ステップＳ４０ｆ）。
【００７１】
今、説明の便宜上、ｉｍａｘ＝２（ｎ＝２）とすると、この段階ではｉ＝２であるから、ステップＳ４０ｆの評価結果が“ＮＯ”となり、再びステップＳ４０ｃを実行して、ｉ列ｊ行の画像を生成する。すなわち、ｉ＝２、ｊ＝１であるから、「２（列），１（行）」の画像を生成し、その「２（列），１（行）」の画像と、その画像の座標情報（２，１）をデータファイル３５の第２レコードに保存した後、変数ｉを＋１して（ステップＳ４０ｅ）、式「ｉ＞ｉｍａｘ」を再評価する（ステップＳ４０ｆ）が、この段階ではｉ＝３であり、ステップＳ４０ｆの評価結果が“ＹＥＳ”となるので、ループを抜け出し、変数ｊを＋１して（ステップＳ４０ｇ）、式「ｊ＞ｊｍａｘ」を評価する（ステップＳ４０ｈ）。
【００７２】
今、説明の便宜上、ｊｍａｘ＝２（ｍ＝２）とすると、この段階ではｊ＝２であるから、ステップＳ４０ｈの評価結果が“ＮＯ”となり、変数ｉを初期値“１”に戻し（ステップＳ４０ｉ）、改行コードを発生し（ステップＳ４０ｊ）、その改行コードをデータファイル３５のカレントレコードの制御コード部３５ｃに保存（ステップＳ４０ｋ）した後、再びステップＳ４０ｂに復帰する。そして、操作部５のメモリボタン７が押圧操作されたか否かを判定し（ステップＳ４０ｂ）、メモリボタン７が押圧操作されていれば、ｉ列ｊ行の画像を生成する。
【００７３】
すなわち、ｉ＝１、ｊ＝２であるから、「１（列），２（行）」の画像を生成し、その「１（列），２（行）」の画像と、その画像の座標情報（１，２）をデータファイル３５の第３レコードに保存した後、変数ｉを＋１して（ステップＳ４０ｅ）、式「ｉ＞ｉｍａｘ」を再評価する（ステップＳ４０ｆ）。
【００７４】
この段階ではｉ＝２であるから、ステップＳ４０ｆの評価結果が“ＮＯ”となり、再び操作部５のメモリボタン７が押圧操作されたか否かを判定し（ステップＳ４０ｂ）、メモリボタン７が押圧操作されていれば、ｉ列ｊ行の画像を生成する。すなわち、ｉ＝２、ｊ＝２であるから、「２（列），２（行）」の画像を生成し、その「２（列），２（行）」の画像と、その画像の座標情報（２，２）をデータファイル３５の第４レコードに保存した後、変数ｉを＋１して（ステップＳ４０ｅ）、式「ｉ＞ｉｍａｘ」を再評価する（ステップＳ４０ｆ）が、この段階ではｉ＝３であり、ステップＳ４０ｆの評価結果が“ＹＥＳ”となるので、ループを抜け出し、変数ｊを＋１して（ステップＳ４０ｇ）、式「ｊ＞ｊｍａｘ」を再評価する（ステップＳ４０ｈ）。
【００７５】
今、ｊ＝３、ｊｍａｘ＝２であるから、ステップＳ４０ｈの評価結果が“ＹＥＳ”となるので、ループを抜け、終了コードを発生し（ステップＳ４０ｍ）、その終了コードをデータファイル３５のカレントレコードの制御コード部３５ｃに保存（ステップＳ４０ｎ）した後、図９のフローチャートに復帰する。
【００７６】
図１２は、図１０のフローチャートを実行した後のデータファイル３５の状態を示す図である。この図において、ヘッダ部３５ａに保存されている（１，１）、（２，１）、（３，１）、・・・・は、変数ｉ、変数ｊから生成された画像座標情報であり、その書式は既述のとおり、「列，行」、つまり（ｉ，ｊ）である。したがって、第１レコードのデータ部３５ｂに保存されているデータは「１（列），１（行）」の画像であり、第２レコードのデータ部３５ｂに保存されているデータは「２（列），１（行）」の画像であり、第３レコードのデータ部３５ｂに保存されているデータは「３（列），１（行）」の画像である。
【００７７】
ここで、画像座標情報の列の値が“ｎ”になっているデータは行末に位置する画像である。そのこと（行末）を示すために、当該レコードの制御コード部３５ｃには改行コードが保存されている。また、画像座標情報の行の値が“ｍ”になっているデータは最終画像であり、そのこと（最終画像）を示すために、当該レコードの制御コード部３５ｃには終了コードが保存されている。
【００７８】
図１３は、投映画像（ジョイント画像）を示す概念図であり、図１２のデータファイル３５に保存されたそれぞれの画像を各々の座標情報に従って展開したものである。すなわち、図示の投映画像３７は、横方向にｎ列、縦方向にｍ行のｎ×ｍ個の単位画像で構成されており、それぞれの単位画像は、図１２のデータファイル３５の各レコードの保存画像に相当する。たとえば、座標（１，１）の画像はデータファイル３５の第１レコードの保存画像、座標（２，１）の画像はデータファイル３５の第２レコードの保存画像、座標（３，１）の画像はデータファイル３５の第３レコードの保存画像、・・・・である。
【００７９】
このように、本実施形態によれば、原稿３４のサイズに見合った適切な分割方式（「２×１分割」や「２×２分割」又は「可変分割」）を選択するだけで、改行コードや終了コードを自動的に発生することができる。このため、原稿３４の読み込みの際にはメモリボタン７だけを押圧操作すればよく、前記の実施の形態のように、いちいち改行ボタン８や終了ボタン９を押圧操作する必要がないので、操作を簡略化して操作ミスをなくすことができる。また、当然ながら、改行ボタン８や終了ボタン９を備える必要がなく、部品点数を少なくしてコストの削減も図ることができる。
【００８０】
なお、以上の各実施形態では、データファイル３５に単位画像を保存する際の画像の位置合わせについては言及しなかったが、好ましくは、以下のようにしても良い。
図１４は、画像位置合わせの概念図である。図（ａ）において、スクリーン１１には、すでにデータファイル３５に保存済の単位画像４２が投映されていると共に、これからデータファイル３５に保存しようとする単位画像４３も投映されている。同様に、図（ｂ）において、スクリーン１１には、すでにデータファイル３５に保存済の単位画像４４、４５が投映されていると共に、これからデータファイル３５に保存しようとする単位画像４６も投映されている。
【００８１】
単位画像４２、４３、４４、４５の投映位置はそれらの画像４２、４３、４４、４５の座標情報に基づいて設定されている。すなわち、単位画像４２は、図４の面３４ａに対応する画像であり、また、単位画像４４、４５は、図４の面３４ａ、３４ｂに対応する画像である。一方、これから保存しようとする単位画像４３は、図４の面３４ｂに対応する画像であり、また、同単位画像４６は、図４の面３４ｃに対応する画像である。原稿載置面３に載置されている原稿３４の位置を微調整すれば、単位画像４３、４６の位置合わせを行うことができる。
【００８２】
したがって、図中の白抜き矢印で示すように、隣接画像（画像４３に対しては左隣の画像４２、画像４６に対しては上隣の画像４４）と正しく接合し、又は、若干重なり合うように、各々の画像４３、４６の位置合わせを行った後に、メモリボタン７を押圧操作すればよい。ずれのないジョイント画像をスクリーン１１に投映することができる。
【００８３】
また、以上の実施形態では、反射型のＯＨＰ、すなわち、原稿載置面３に載置された原稿３４を下から撮像するものに適用したが、それに限定されない。たとえば、コピースタンドとも称される画像投映装置（いわゆる書画カメラ）にも適用することができる。書画カメラとは、原稿載置テーブルの一辺に立設したアームの先端にカメラと投映装置を取り付けたものであり、テーブル上の原稿をカメラで撮像し、その画像をスクリーンに投映するというものである。カメラの撮像レンズには所定の画角（撮影範囲）があり、その画角を越える大きさの原稿は撮影できない。したがって、この書画カメラにおいても、前記の反射型のＯＨＰと同様の欠点、つまり、最大読み取りサイズを越える大きさの原稿を映し出す際に、その全体画像を一度に投映できないという欠点を有しているからである。
【００８４】
さらに、原稿３４の画像を第二記憶部２９のデータファイル３５に保存する際に、必要に応じて画像の“回転”処理を行うようにすると好ましい。たとえば、雑誌の見開き頁（左頁と右頁）を２度にわたって撮像する場合、押さえ板４が邪魔になることがある。このようなときは、雑誌を１８０度回転させて撮像すれば押さえ板４が邪魔にならないが、そのままでは画像の向きが一致しないため、原稿の全体画像を生成する際に不都合を来す。そこで、操作部５に「画像回転ボタン」（不図示）を設けておき、このボタンが押されたときには画像を１８０度回転処理するようにしておけばよい。
【図面の簡単な説明】
【００８５】
【図１】実施形態におけるオーバーヘッドプロジェクタの外観図である。
【図２】ＯＨＰ１の簡略的な内部ブロック図である。
【図３】第二記憶部２９に記憶されるデータファイルの模式的構造図である。
【図４】Ａ２サイズの原稿３４の平面図である。
【図５】制御部３３で定期的に実行される制御プログラムの概念的なフローチャートを示す図（第１実施形態）である。
【図６】モード選択画面３８を示す図である。
【図７】ジョイント投映詳細設定画面３９及び固定分割詳細設定画面４０を示す図である。
【図８】可変分割詳細設定画面４１を示す図である。
【図９】制御部３３で定期的に実行される制御プログラムの概念的なフローチャートを示す図（第２実施形態）である。
【図１０】ジョイント処理のフローチャートを示す図である。
【図１１】ｉ列ｊ行の画像を示す概念図である。
【図１２】図１０のフローチャートを実行した後のデータファイル３５の状態を示す図である。
【図１３】投映画像を示す概念図である。
【図１４】画像位置合わせの概念図である。
【符号の説明】
【００８６】
１  画像投映装置
３  原稿載置面
２４  撮像素子（撮像手段）
２９  第二記憶部（記憶手段）
３２  画像投映部（投映手段）
３３  制御部（画像合成手段、画像再生手段）
３４  原稿
【図１】
2005107354.tif 000003
【図２】
2005107354.tif 000004
【図３】
2005107354.tif 000005
【図４】
2005107354.tif 000006
【図５】
2005107354.tif 000007
【図６】
2005107354.tif 000008
【図７】
2005107354.tif 000009
【図８】
2005107354.tif 000010
【図９】
2005107354.tif 000011
【図１０】
2005107354.tif 000012
【図１１】
2005107354.tif 000013
【図１２】
2005107354.tif 000014
【図１３】
2005107354.tif 000015
【図１４】
2005107354.tif 000016